(57)【要約】      （修正有）【課題】高山植物の育成に適した温度及び湿度を保つ植木鉢を提供する。【解決手段】外筒１と、この外筒１の内側に設けられる内筒２と、外筒１と内筒２の下部に設けられる環状台座３と、を備え、外筒１は、多孔質材料で形成され、外筒１と内筒２との間には、貯水部が設けられ、内筒２の内側には、止水層４が設けられていることを特徴とする構成となっている。【選択図】図１
0003203743.tif 000002
【実用新案登録請求の範囲】
【請求項１】
外筒と、
この外筒の内側に設けられる内筒と、
前記外筒と前記内筒の下部に設けられる環状台座と、を備え、
前記外筒は、多孔質材料で形成され、
前記外筒と前記内筒との間には、貯水部が設けられ、
前記内筒の内側には、止水層が設けられていることを特徴とする、植木鉢。
【請求項２】
前記多孔質材料は、素焼であることを特徴とする、請求項１に記載の植木鉢。
【請求項３】
前記外筒の高さは、前記内筒の高さより低く設定されていることを特徴とする、請求項１又は請求項２に記載の植木鉢。
【請求項４】
前記環状台座は、肉厚に形成されており、
厚さ方向に貫通する貫通孔と、径方向に貫通する少なくとも１つの空気孔を有していることを特徴とする、請求項１〜３の何れかに記載の植木鉢。
【請求項５】
前記環状台座は、平板に形成されており、
厚さ方向に貫通する貫通孔と、この環状台座の下面から下方に突出する凸部とを有していることを特徴とする、請求項１〜３の何れかに記載の植木鉢。
【請求項６】
前記内筒の内側に配置される網部材をさらに備え、
前記貫通孔の内径は、前記内筒の内径よりも小径に形成されていることを特徴とする、請求項５に記載の植木鉢。
【請求項７】
前記内筒の内側に配置される網部材をさらに備え、
前記内筒の内面には、前記網部材を支持する段部が形成されていることを特徴とする、請求項１〜５の何れかに記載の植木鉢。
【請求項８】
多孔質材料で形成された筒体を備え、
前記筒体の内側には、止水層が設けられていることを特徴とする、植木鉢。
【請求項９】
前記筒体の内側に配置される網部材をさらに備え、
前記筒体の内面には、前記網部材を支持する段部が形成されていることを特徴とする、請求項８に記載の植木鉢。
【請求項１０】
この筒体の下部に設けられる皿部材をさらに備え、
前記皿部材の縁部には、立ち上りが形成されていることを特徴とする、請求項８又は請求項９に記載の植木鉢。
【考案の詳細な説明】
【技術分野】
【０００１】
本考案は、植物を植栽する植木鉢に関し、より詳細には、高山植物の育成に適した温度及び湿度を保つことができる植木鉢に関する。
【背景技術】
【０００２】
一般に、植木鉢を用いて植物を育成する際には、直射日光や真夏の高い気温により、植木鉢内の植物に悪影響を与える場合がある。これは植木鉢内の温度が上昇することにより、その植物の生育温度や生育適温を大きく上回ってしまうだけでなく、土中の微生物の働きが活発になって土中の酸素が大量に消費されてしまうことに起因している。その結果、植物の根は、温度の直接的な被害に加えて、酸素不足による被害を受けてしまい、根腐れを起こしてしまう。
【０００３】
このような問題に対して、植木鉢の周りを発泡スチロールの容器で囲んで温度上昇を防止することや、植木鉢内の温度上昇を抑制することができる植木鉢を使用する等の対策が採られていた。このような、植木鉢内の温度上昇を抑える植木鉢の１つとして、内壁と外壁によって二重に構成された二重壁の植木鉢が知られている（例えば、特許文献１）。
【０００４】
特許文献１には、「植木鉢の内側に所要の間隔をあけて透水性の内壁を設けた、二重壁の植木鉢」の技術が記載されている。この二重壁の植木鉢は、内外壁間の空間に保水性物質を充填して、それに水を含ませることによって、その水の蒸発に伴う気化熱によって、鉢の温度上昇が抑えられるとされている。さらに、内壁を透水性の材料で形成することにより、保水性物質内の水分を植物の根に供給できるよう構成されている。
【先行技術文献】
【特許文献】
【０００５】
【特許文献１】実開昭６３−５３２３９号公報
【考案の概要】
【考案が解決しようとする課題】
【０００６】
ところで、植物の中でも高山植物においては、高地で寒冷な自然条件が厳しい場所に植生しているため、比較的温暖な低地において栽培する場合には、温度管理や湿度管理を厳密に行う必要がある。特に、夏季の温暖な気候の時期には、植木鉢内の温度が上昇しやすく高山植物に与える影響が大きいため、注意して植物の根を低温に保つ必要がある。
【０００７】
特許文献１に記載された二重壁の植木鉢を用いた場合には、確かに、植木鉢の温度上昇が抑えられるものの、高山植物に適用するには以下のような課題がある。
【０００８】
第１に、冷却に寄与する水の残量が確認することができないという問題である。すなわち、特許文献１に記載の二重壁の植木鉢は、水苔やスポンジ等の保水性物質に水を含水させているため、冷却に寄与する水が十分に残っているか否かの確認が容易ではない。その結果、冷却効果が発揮しているか否かの確認が蔑ろになりやすく、冷却効果が発揮されていない状態で放置されてしまう危険性が高くなってしまう。
【０００９】
第２に、湿気を好まない高山植物には適用できないという問題である。すなわち、特許文献１に記載の二重壁の植木鉢は、内壁が透水性を有しているため、常に保水性物質内の水が供給される構成となっている。そのため、湿気を好まない高山植物に対しては、水の供給が過剰な環境を形成してしまい、枯れてしまう原因となってしまう。
【００１０】
本考案は、かかる実情に鑑み、高山植物の育成に適した温度及び湿度を保つ植木鉢を提供することを課題とする。
【課題を解決するための手段】
【００１１】
上記課題を解決するため、本考案に係る植木鉢は、外筒と、この外筒の内側に設けられる内筒と、前記外筒と前記内筒の下部に設けられる環状台座と、を備え、前記外筒は、多孔質材料で形成され、前記外筒と前記内筒との間には、貯水部が設けられ、前記内筒の内側には、止水層が設けられていることを特徴とする。
【００１２】
このように、外筒は、多孔質材料で形成され、外筒と内筒の間に貯水部が設けられていることにより、気温の高い真夏においても高山植物の育成に適した温度を保つことができる。
また、内筒の内面に止水層が設けられていることにより、湿気を好まない高山植物の育成に適した湿度を保つことができる。
【００１３】
本考案の好ましい形態では、前記多孔質材料は、素焼であることを特徴とする。
このように、外筒を素焼で形成することにより、水を効果的に冷却することができる。
【００１４】
本考案の好ましい形態では、前記外筒の高さは、前記内筒の高さより低く設定されていることを特徴とする。
このように、外筒よりも内筒を高く形成することにより、貯水部内の水の有無や残存量を容易に確認することができる。
【００１５】
本考案の好ましい形態では、前記環状台座は、肉厚に形成されており、厚さ方向に貫通する貫通孔と、径方向に貫通する少なくとも１つの空気孔を有していることを特徴とする。
このように、環状台座部に空気孔を備えることにより、通気性を良くして、植物の根周辺に酸素を供給すると共に、湿気を逃がすことができる。
【００１６】
本考案の好ましい形態では、前記環状台座は、平板に形成されており、
厚さ方向に貫通する貫通孔と、この環状台座の下面から下方に突出する凸部とを有していることを特徴とする。
このように、環状台座の下面に凸部を形成することにより、より容易に環状台座を製造することができる。
【００１７】
本考案の好ましい形態では、前記内筒の内側に配置される網部材をさらに備え、前記貫通孔の内径は、前記内筒の内径よりも小径に形成されていることを特徴とする。
【００１８】
本考案の好ましい形態では、前記内筒の内側に配置される網部材をさらに備え、前記内筒の内面には、前記網部材を支持する段部が形成されていることを特徴とする。
【考案の効果】
【００１９】
本考案は、高山植物の育成に適した温度及び湿度を保つ植木鉢を提供することができる。
【図面の簡単な説明】
【００２０】
【図１】本考案の実施形態１に係る植木鉢の斜視図である。
【図２】本考案の実施形態１に係る植木鉢の鉢本体の要部断面斜視図である。
【図３】本考案の実施形態２に係る植木鉢の鉢本体の要部断面斜視図である。
【図４】本考案の実施形態３に係る植木鉢の鉢本体の要部断面斜視図である。
【図５】本考案の実施形態４に係る植木鉢の鉢本体の要部断面斜視図である。
【考案を実施するための形態】
【００２１】
以下、本考案を図面に示した好ましい実施形態１ないし実施形態４について詳細に説明する。本考案の技術的範囲は、添付図面に示した実施形態に限定されるものではなく、実用新案登録請求の範囲に記載された範囲内において、適宜変更が可能である。
【００２２】
＜実施形態１＞
本考案の実施形態１に係る植木鉢Ａは、図１に示すように、外筒１と、この外筒１の内側に設けられる内筒２と、外筒１と内筒２の下部に設けられる環状台座３と、内筒２の内面に設けられる止水層４と、を備えている。また、この植木鉢Ａに植物を植栽する際には、網部材Ｎを内筒２の内側に配置して、植物及び用土を下から支持する。
【００２３】
外筒１は、多孔質材料によって筒状に形成されている。この多孔質材料は、毛細管現象によって外筒１の内部に水を含浸させることが可能な材料であり、より好ましい材料として、十数％の含水率を有する素焼を例示することができる。また、素焼以外の材料であっても、含水可能な材料であれば当然に採用することができる。なお、この外筒１の形状としては、円筒状、楕円筒状、多角筒状等を挙げることができる。
【００２４】
内筒２は、外筒１と同じように筒状に形成されており、この内筒２の内側には植物が植栽される。この内筒２は、図２に示すように、外筒１の内側に所定の間隔を有して設けられており、外筒１と内筒２の間には貯水可能な空間である貯水部５が設けられている。また、この内筒２の上部と下部の開放端は、同等の径で形成されている。
【００２５】
環状台座３は、外筒１と内筒２の下部に設けられており、貯水部５の下方を覆って水が漏れないよう構成されている。この環状台座３は、肉厚に形成されており、厚さ方向に貫通する貫通孔３１と、径方向に貫通する少なくとも１つの空気孔３２を有している。
貫通孔３１の内径は、内筒２の内径よりも小径に形成されており、内筒２と環状台座３との接続部には、内筒２の内側方向に突出した環状段部３３を形成している。
空気孔３２は、図１及び図２において３つ形成されている例を示したが、１つ以上設けられていれば良い。
【００２６】
止水層４は、内筒２の内側面に沿って形成されており、貯水部５の水が内筒２内の植物に供給されてしまうことを防いでいる。この止水層４としては、耐水性を有した材料であれば採用することができる。なお、内筒２を素焼で形成する場合には、内筒２の内側面に釉薬（うわぐすり）を釉掛けして焼くことにより、薄いガラス質の層を形成することが望ましい。
【００２７】
網部材Ｎは、内筒２内に植栽される植物や用土を支持する支持板であり、内筒２の上部開放端から内筒２内に導入され、環状段部３３によって位置決めされる。この網部材Ｎは、網状に形成されており、内筒２の上部開放端から環状台座３の空気孔３２までの通気を妨げず、内筒２内の水分を植木鉢Ａ外に逃がすことができるよう構成されている。なお、この網部材Ｎの網目の大きさや配列は特に限定されず、通気性を有する形状であれば、当然に適用することができる。
【００２８】
また、上記外筒１と内筒２と環状台座３とは、素焼で形成されていることが望ましい。このように、植木鉢Ａ全体を素焼きで形成することにより、外筒１と内筒２と環状台座３とを一体に構成することができ、各部材を強固に接続することができる。このため、貯水部５からの水漏れが発生することがない植木鉢Ａを容易に製造することができる。また、素焼で形成されているため、止水層４についても釉薬によって容易に形成することができる。
【００２９】
次に、この植木鉢Ａの冷却機構について説明する。
まず、外筒１と内筒２の間の貯水部５に水を充填して、多孔質材料で形成された外筒１に水分を含浸させる。この外筒１に含浸された水分は、直射日光や植木鉢Ａ周囲の気温によって気化し、その時の気化熱によって貯水部５の水が冷却される。この冷却された水が内筒２及び内筒２内の植物を冷やすため、植木鉢Ａ内の温度上昇を抑制することができる。
【００３０】
本考案によれば、貯水部５に水を充填することにより、外筒１に水分を含浸させると共に、内筒２を冷やす冷媒として利用することができる。すなわち、貯水部５に充填された水は、多孔質材料の毛細管現象により外筒１（及び内筒２）に水分が含浸し、この水分の気化熱により貯水部５の水の温度が下がる。この水が低下した温度を維持して内筒２を冷却することにより、長時間にわたって内筒２内の温度上昇を抑制することができる。
【００３１】
また、本考案によれば、貯水部５の上部が開放されていることにより、水が枯渇したことを容易に知ることができる。高山植物のようなデリケートな植物を育成する際には、温度管理を厳密に行う必要があるため、常に植物の生育温度に保たれていることが望ましく、貯水部５には常時水が充填されていることが望ましい。本考案においては、貯水部５の上部が開放されていることにより、貯水部５に充填された水面の位置を視認することができ、水の有無や残存量を容易に確認することができる。これにより、水の充填のタイミングを容易に知ることができる。
【００３２】
また、本考案によれば、内筒２の内面に止水層４を設けたことにより、湿気を好まない高山植物に適した環境を形成することができる。すなわち、植物の周りの止水層４を形成することにより、内筒２の内面から貯水部５の水分が植物に供給されないよう構成されている。そのため、植物の根周辺の湿度が必要以上に高くなってしまうことを防ぐことができる。
【００３３】
また、本考案によれば、環状台座３に空気孔３２を設け、網部材Ｎを網状に形成したことにより、植物の根周辺の通気性を良くして、高山植物に適した環境を形成することができる。すなわち、内筒２の上部開放端から環状台座３の空気孔３２まで、通気可能な構成とすることにより、植物の根周辺に酸素を供給すると共に、用土中の湿気を逃がすことができる。
【００３４】
＜実施形態２＞
以下、本考案の実施形態２に係る植木鉢Ｂについて、図３を参照して詳細に説明する。この実施形態２に係る植木鉢Ｂは、先の実施形態に係る植木鉢Ａとは異なる高さの外筒６を有していることを特徴とする。なお、同実施形態において、先の実施形態と基本的に同一の構成要素については、同一の符号を付してその説明を簡略化する。
【００３５】
本考案の実施形態２に係る植木鉢Ｂは、図３に示すように、外筒６と、この外筒６の内側に設けられる内筒２と、外筒６と内筒２の下部に設けられる環状台座３と、内筒２の内面に設けられる止水層４と、を備えている。外筒６の高さは、内筒２の高さよりも低く設定されている。また、内筒２は素焼等の多孔質材料で形成されていることが望ましい。
【００３６】
本実施形態によれば、外筒６の高さが内筒２の高さよりも低く設定されていることにより、貯水部５に充填された水の水面をより視認しやすくすることができ、水の有無や残存量をより容易に確認することができる。
【００３７】
また、本実施形態によれば、内筒２が多孔質材料で形成されていることにより、内筒２内の温度上昇を抑制することができる。すなわち、毛細管現象によって内筒２内に含浸された水分は、直射日光や植木鉢Ｂ周囲の気温によって気化し、その時の気化熱によって内筒２内の温度上昇を抑制することができる。
【００３８】
＜実施形態３＞
以下、本考案の実施形態３に係る植木鉢Ｃについて、図３を参照して詳細に説明する。この実施形態３に係る植木鉢Ｃは、先の実施形態に係る植木鉢Ｂとは異なる形状の内筒７と環状台座８を有していることを特徴とする。なお、同実施形態において、先の実施形態と基本的に同一の構成要素については、同一の符号を付してその説明を簡略化する。
【００３９】
本考案の実施形態３に係る植木鉢Ｃは、図３に示すように、外筒６と、この外筒６の内側に設けられる内筒７と、外筒６と内筒７の下部に設けられる環状台座８と、内筒７の内面に設けられる止水層４と、を備えている。
【００４０】
内筒７の内面には、内筒７の内側方向に突出した段部７１が形成されている。段部７１は、図４に示すように、環状に形成した場合を例示したが、網部材Ｎの外縁部を支持する複数の突起を内筒７の内面に設ける構成としても良い。
環状台座８は、平板上に形成されており、厚さ方向に貫通する貫通孔８１と、この環状台座８の下面から下方に突出する凸部８２と、を有している。
【００４１】
本実施形態によれば、環状台座８に凸部８２を設けることにより、植木鉢Ｃの製造を容易にすることができる。すなわち、環状台座８に凸部８２を設けることにより、環状台座８の下面が地面に当接しないため、先の実施形態のように空気孔３２を設けることなく、内筒７の下方の開放端から空気を供給することができる。そのため、空気を供給する環状台座８をより容易に作製することができる。
【００４２】
＜実施形態４＞
以下、本考案の実施形態４に係る植木鉢Ｄについて、図５を参照して詳細に説明する。この実施形態４に係る植木鉢Ｄは、筒体のみで形成されていることを特徴とする。なお、同実施形態において、先の実施形態と基本的に同一の構成要素については、同一の符号を付してその説明を簡略化する。
【００４３】
本考案の実施形態４に係る植木鉢Ｄは、図５に示すように、多孔質材料で形成された筒体９を備えている。この筒体９の内側には、止水層４と、筒体９の内側方向に突出した段部９１と、が形成されている。この段部９１は、先の実施形態と同様に、網部材Ｎの外縁部を支持することができる。
【００４４】
また、筒体９の下部には、図５に示すように、皿部材Ｓが設けられる。皿部材Ｓは、底面Ｓ１と、立ち上りＳ２とを有しており、この立ち上りＳ２は底面Ｓ１の縁部に形成されている。この立ち上りＳ２が形成されていることにより、皿部材Ｓの底面Ｓ１は、水を貯める貯水部として機能させることができる。この皿部材Ｓとしては、通常園芸に用いられる受皿を採用することができる。
【００４５】
本実施形態によれば、先の実施形態と同様に、毛細管現象によって筒体９内に、皿部材Ｓに貯められた水分は含浸され、その水分が気化する気化熱によって筒体９内の温度上昇を抑制することができる。
また、止水層４が設けられていることにより、筒体９内の水分が植物に供給されることを抑制して、植物の根周辺の湿度が必要以上に高くなってしまうことを防ぐことができる。
【００４６】
また、本実施形態によれば、冷却効果を有する植木鉢を容易に製造することができる。すなわち、多孔質材料を筒状に形成し、内側に止水層４を形成することにより、極めて容易に冷却効果を有する植木鉢を製造することができる。
【実施例】
【００４７】
次に、本考案に係る実施形態１の植木鉢Ａの冷却効果について、他材料の容器との比較実験に基づいて説明する。
この比較実験では、実施形態１の植木鉢Ａと、底穴を塞いだ駄温鉢（３号鉢）と、底穴を塞いだプラスチック鉢（３号鉢）と、湯飲み茶碗（釉薬で完全止水品）と、に１００ｃｃ程の水を注ぎ、直射日光を当てた炎天下の環境において、各容器内の水温の時間変化を測定した。なお、植木鉢Ａでは貯水部５に水を貯めており、駄温鉢及びプラスチック鉢では、水が漏れないよう底穴を塞ぎ、用土が入る鉢内に水を貯めている。
【００４８】
この比較実験の測定方法としては、棒状温度計を各容器内の水に浸し、９時、１０時、１１時、１２時、１３時、１４時、１５時の時点の大気温度と水温を測定した。その結果を表１に示し、さらに大気温度から水温を差し引いた温度（冷却効果）を表２に示す。
【００４９】
【表１】
0003203743.tif 000003
【００５０】
【表２】
0003203743.tif 000004
【００５１】
表１及び表２の結果より、植木鉢Ａ内の水温は、駄温鉢やプラスチック鉢、湯飲み茶椀内の水温に比べて低く保たれていることがわかる。特に、植木鉢Ａ内の水は、他の比較例が３０度を超えている１３時、１４時の時点においても、２０度付近の水温を示し、大気温度よりも１０℃程低く保たれていることが分かる。このように、本考案に係る実施形態１の植木鉢Ａは、大気温度の高い時間帯においても、水温が上昇することを抑制することができ、鉢内の温度を日中通して低く保つことができることが分かる。
【符号の説明】
【００５２】
１  外筒
２  内筒
３  環状台座
３１  貫通孔
３２  空気孔
３３  環状段部
４  止水層
５  貯水部
６  外筒
７  内筒
７１  段部
８  環状台座
８１  貫通孔
８２  凸部
９  筒体
９１  段部
Ｓ  皿部材
Ｓ１  底面
Ｓ２  立ち上り
Ｎ  網部材
【図１】
0003203743.tif 000005
【図２】
0003203743.tif 000006
【図３】
0003203743.tif 000007
【図４】
0003203743.tif 000008
【図５】
0003203743.tif 000009